(57)【特許請求の範囲】
【請求項１】
半透明の基材と、
前記半透明の基材の一方の面上に形成された第１の記録情報と、
前記半透明の基材の他方の面上に、前記一方の面側から視認できるようにして形成された第２の記録情報と、
前記第１の記録情報の少なくとも一部を隠蔽する隠蔽層とを有し、
前記隠蔽層を除去して、前記基材の一方の面側から前記第１の記録情報と前記第２の記録情報とを組み合わせることにより生成されて視認できる第３の記録情報が前記くじ券の情報となるようにしたことを特徴とするくじ券。
【請求項２】
前記第２の記録情報のみを視認した場合、何ら意味をもたない情報しか視認できないようにしたことを特徴とする請求項１記載のくじ券。
【請求項３】
半透明の基材と、
前記半透明の基材の一方の面上に形成された第１の記録情報と、
前記半透明の基材の他方の面上に、前記一方の面側から視認できるようにして形成された第２の記録情報と、
前記第１の記録情報の少なくとも一部を隠蔽する隠蔽層とを有するくじ券であって、
前記くじ券は、前記第１の記録情報からなる第１の情報と、少なくとも前記第２の記録情報を含む第２の情報とを備え、
前記第１の記録情報の少なくとも一部を隠蔽する前記隠蔽層の少なくとも一部を除去して、前記一方の面側から視認できる前記第１の情報と前記第２の情報とによって前記くじ券の情報となるようにしたことを特徴とするくじ券。
【請求項４】
前記半透明の基材は、基紙又はプラスチックフィルムからなることを特徴とする請求項１乃至３のいずれか１項に記載のくじ券。
【請求項５】
前記第２の記録情報は、特定の波長の光で発光する蛍光インキを用いた印字層又は印刷層からなることを特徴とする請求項１乃至３のいずれか１項に記載のくじ券。
【請求項６】
前記基紙の単位面積当たりの重量は６０から２００ｇ／ｍ2の範囲であることを特徴とする請求項４に記載のくじ券。
【請求項７】
前記基材の厚みは１００から３００μｍの範囲であることを特徴とする請求項４に記載のくじ券。
【請求項８】
前記プラスチックフィルムの少なくとも一方の面には単色の印刷層が形成されていることを特徴とする請求項４に記載のくじ券。
【請求項９】
前記第２の記録情報の少なくとも一部が、前記他方の面側から視認できないように隠蔽されていることを特徴とする請求項１乃至３のいずれか１項に記載のくじ券。
【請求項１０】
前記くじ券の前記第１の記録情報と前記第２の記録情報とを組み合わせて前記一方の面側から視認できるものは、文字、数字、図柄、マーク又は模様のうちのいずれかの情報或いはこれらを組み合わせた情報からなることを特徴とする請求項１乃至９のいずれか１項に記載のくじ券。
【請求項１１】
請求項１又は２のいずれか１項に記載のくじ券を用いた遊戯方法であって、
前記隠蔽層を除去して前記第１の記録情報を視認し、次いで、前記一方の面側から前記半透明の基板を介して前記第２の記録情報を視認し、次いで、前記第１の記録情報と前記第２の記録情報とを組み合わせることにより生成されて視認できる、照合判定するための第３の記録情報を特定し、該第３の記録情報に基づいて遊戯することを特徴とするくじ券の遊戯方法。
【請求項１２】
請求項３に記載のくじ券を用いた遊戯方法であって、
前記第１の記録情報の少なくとも一部を隠蔽する前記隠蔽層の少なくとも一部を除去して、前記第１の情報を特定し、又は前記一方の面側から前記半透明の基板を介して前記第２の記録情報を視認して前記第２の情報を特定し、前記第１の情報又は前記第２の情報のうち、いずれか１つの情報を選択して該選択された情報に基づいて遊戯することを特徴とするくじ券の遊戯方法。
【発明の詳細な説明】
【０００１】
【発明の属する技術分野】
本発明はくじ券及びその遊戯方法に係わり、さらに詳しくは、スクラッチオフ方式のくじ券及びその遊戯方法に関する。
【０００２】
【従来の技術】
従来から、用紙の表面に、「当たり」「はずれ」などの情報を確認できる文字やマークなどが印刷され、それらが不透明の塗膜で被覆隠蔽されたスクラッチオフ方式のくじ券が知られている。このくじ券はコインなどで塗膜をスクラッチして文字やマークなどを確認することによりくじ券の「当たり」「はずれ」が判明するようになっている。
【０００３】
従来のくじ券は、用紙の表面の一部の領域のみに塗膜で隠蔽された文字やマークなどを確認するため塗膜をスクラッチするだけなので、くじ券の利用者が楽しみにしている、「当たり」「はずれ」を確認する作業が１回のステップで直ちに終了してしまうゲームでもある。
すなわち、従来のスクラッチオフ方式のくじ券は、くじ券の利用者ばかりではなく、考案者にとっても、実に単純なゲーム構成で、その遊戯方法も単純なものとなっていた。
【０００４】
【発明が解決しようとする課題】
上記のスクラッチオフ方式のくじ券は、結果が直ちに判明する便利さがある反面、用紙の表面の一部の領域のみにくじの情報が印刷されているだけなので、ゲーム性が低いとともに、ゲーム性を向上させることは困難である。
すなわち、従来のくじ券の構成では遊戯方法が単純すぎてゲーム性が低いものしか構成できず、くじ券の利用者が心から楽しめないので、利用者に飽きられてしまうおそれがある。このため、特に、販売されるタイプのくじ券では、売上高が下がり、商業的に不利になるおそれがある。
【０００５】
これに対して、例えば、コインなどで隠蔽層をスクラッチし、文字やマークなどを確認した時点ではくじの結果が直ちに判明せず、その次の別のステップでくじの結果が判明するようにすれば、利用者の楽しみは二重に膨らむことになる。
これにより、くじ券のゲーム性が向上し、利用者が心から楽しむことができるようになるので、特に、販売されるタイプのくじ券では、売上高が上がって商業的に有利になる。このような理由から、上記のような要素を備えたくじ券やその遊戯方法が切望されている。
【０００６】
本発明は上記の問題点を鑑みて創作されたものであり、ゲーム性が高く、利用者が十分に楽しめ、くじ券の売上高が上がって商業的に有利になるくじ券及びその遊戯方法を提供することを目的とする。
【０００７】
【課題を解決するための手段】
上記した課題は、半透明の基材と、前記半透明の基材の一方の面上に形成された第１の記録情報と、前記半透明の基材の他方の面上に、前記一方の面側から視認できるようにして形成された第２の記録情報と、前記第１の記録情報の少なくとも一部分を隠蔽する隠蔽層とを有することを特徴とするくじ券によって解決される。
【０００８】
本発明によれば、半透明の基材の一方の面に第１の記録情報が形成され、該半透明の基材の他方の面には一方の面から視認できるような構成で第２の記録情報が形成され、該第１の記録情報は基材の一方の面側から視認できないように隠蔽層で隠蔽されている。
本発明のくじ券の情報を確認する場合、まず、隠蔽層を除去して第１の記録情報を視認し、その後、一方の面側から半透明の基材を介して第２の記録情報を視認し、次いで、第１の記録情報と第２の記録情報を組み合わせて生成される第３の記録情報を視認することにより、はじめてくじ券の情報を確認することができる。
【０００９】
すなわち、利用者はくじ券の情報を確認するために、２回のステップを経ることになる。従って、ゲーム性が向上し、利用者はゲームを十分楽しむことができるので、特に、販売されるくじ券では、利用者の購買意欲を向上させて売上高を増大させることができる。
好ましい形態においては、前記第２の記録情報のみを視認した場合、何ら意味をもたない情報しか視認できないようにしている。
【００１０】
すなわち、くじ券を入手し隠蔽層を除去する前の時点では、第２の記録情報を光を半透明の基材に透過させることにより一方の面側から、又は他方の面側から視認することができるが、くじ券の情報が、最終的にどのような種類の記録情報になるのかさえも全く見当もつかないものを視認できるだけである。次いで、隠蔽層を除去し、一方の面側から第１の記録情報を視認し、第１の記録情報と第２の記録情報とを組み合わせて視認することにより、はじめてくじ券の情報を特定することができる。
【００１１】
従って、利用者がくじ券を入手し隠蔽層を除去する前の時点では、入手したくじ券の情報が、例えば、文字、数字、図柄、マーク又は模様のうちどのような種類のものなのか見当さえつかないので、さらに、ゲーム性を向上させることができ、利用者を楽しませることができる。
また、好ましい形態においては、前記くじ券は前記第１の記録情報からなる第１の情報と少なくとも前記第２の記録情報を含んだ複数の情報を有する第２の情報とを備え、前記隠蔽層を除去することによって、前記一方の面側から前記第１の情報と前記複数の情報を有する第２の情報とのうち、いずれか一つの情報を選択して前記くじ券の情報になるようにしている。
【００１２】
これによれば、本発明のくじ券の第１の記録情報からなる第１の情報は、単独である情報を示す意味のある情報であり、第２の記録情報も同様に単独で意味のある情報を示している。第２の情報は、第１の記録情報と第２の記録情報とを組み合わせた情報でもよいし、第２の記録情報のみからなる情報としてもよい。
すなわち、一枚のくじ券には第１の情報と第２の情報とからなる少なくとも二つのくじの情報が混在して備えられている。従って、例えば、第１の情報又は第２の情報かを予め選択してゲームを行う構成にしてもよいし、又は第１の情報と第２の情報とを両方使って１枚のくじ券で２回ゲームができるようにゲームを構成することもできる。
【００１３】
これにより、さらに、くじ券のゲーム性を向上させることができるので、利用者をさらに楽しませることができる。
さらに、また、好ましい形態においては、前記第２の記録情報は、例えば、２５０〜３６５ｎｍの特定の波長の光に発光する蛍光インキを用いた印字層又は印刷層からなり、前記半透明の基材に前記特定の波長の光を透過させたときのみ、前記一方の面側から第２の記録情報を視認できるようにしている。
【００１４】
これによれば、第２の記録情報は、通常の生活環境下の光、例えば、太陽光や蛍光灯の光では、一方の面側からの第２の記録情報を視認することができないように工夫されているので、隠蔽層を除去して第１の記録情報を視認することは容易であるが、一方の面側から第２の記録情報を視認できないので、くじ券の情報を確認するのが困難になる。
【００１５】
しかしながら、例えば、自然光の中の紫外線では、実質的に発光せず、暗室で特定の波長をもつ紫外光を半透明の基材にあてて透過させることにより、第２の記録情報が発光して一方の面から第２の記録情報を視認することができるようになる。そして、第１の記録情報と第２の記録情報とを組み合わせて視認することによりくじ券の情報を確認することができる。
【００１６】
このようにすることにより、さらに、利用者がくじ券に興味を持つようになるので、くじ券の売上が増加して商業的に有利になる。
【００１７】
【発明の実施の形態】
以下、本発明の実施の形態について、添付の図面を参照しながら説明する。
（第１の実施の形態）
図１（ａ）は本発明の実施の形態のくじ券を表面側から透視した透視平面図、図１（ｂ）は図１（ａ）のＩ−Ｉに沿った部分断面図である。
【００１８】
図１（ａ）及び（ｂ）に示すように、基材１０の一方の面である表面には、くじ券の当たりはずれを参照するための参照情報２０と、くじ券の記録情報１２の一部分を構成する印字層または印刷層からなる第１の記録情報（斜線部１２ａ）とが形成されている。
第１の記録情報１２ａ上には保護ニス層１４が形成され、保護ニス層１４の上にはくじ券の表面側から第１の記録情報１２ａを視認できないようにアルミニウム粉などを含む塗膜からなる不透明の第１の隠蔽層１６が形成されている。また、参照情報２０上にも同様に下から順に保護ニス層（図示せず）、第１の隠蔽層１６ａが形成され，くじ券の表面側から視認できないようになっている。
【００１９】
一方、基材１０の他方の面である裏面には、くじ券の記録情報１２のうち、第１の記録情報１２ａを差し引いた残りの部分を構成する印字層又は印刷層からなる第２の記録情報１２ｂが、基材１０の表面側からも光を透過させることにより基材１０を介して視認できるように工夫されて形成されている。そして、第１の記録情報１２ａと第２の記録情報１２ｂとを組み合わせて生成されたものをくじ券の表面側から視認することにより第３の記録情報である、くじ券の記録情報１２を確認することができる。
【００２０】
本実施の形態のくじ券４０の基材として、くじ券４０の裏面に形成された第２の記録情報１２ｂを基材１０の表面側からも視認できるようにするため、半透明のものを用いている。例えば、基材１０として、上質紙またはコート紙を用いることができ、その厚みが１００〜３００μｍ、その坪量を６０〜２００ｇ／ｍ2 の範囲にすることが好ましい。ここで、半透明の基材とは、透明と不透明との中間であるものであり、光を透過させて視認することにより、基材の表面側から基材の裏面に形成された印字層や印刷層が何を示しているのかを視認できる程度の透明性をもつ基材のことを示す。
【００２１】
第１の記録情報１２ａは、隠蔽層１６で隠蔽されているので、基材１０の裏側から光を透過させても光が透過しづらい。すなわち、第１の記録情報１２ａは基材１０の裏面側からも視認できないようになっている。
このような上質紙またはコート紙を基材１０に用い、この裏面に通常の印字や印刷により第２の記録情報を形成することにより、太陽光などを基材に透過させることにより、くじ券の表面側から裏面に形成された第２の記録情報を視認することができる。
【００２２】
この場合、くじ券の表面側からの第２の記録情報の視認のしやすさを、基材１０をより不透明なものにするなどして調整することができる。例えば、太陽光などの強い光でしか第２の記録情報を視認できないようにするために、基材１０を抄紙する際に屈折率が大きい顔料を加えるなどの方法にによって基材１０をより不透明なものにすることができる。また、他の方法として、基材１０の表面又は裏面に屈折率が大きい無機粉末とバインダーを主成分とした塗料を予め塗工して、より不透明なものにしてもよい。
【００２３】
さらに、くじ券のゲーム性を高めたい場合、第２の記録情報を、自然光中の紫外線では実質的に蛍光を発せず、特定の波長、例えば、２５０〜３６５ｎｍの紫外光をあてたときだけ発光する蛍光インキを用いて形成すればよい。これにより、太陽の光や通常の生活環境で使用する光源からの光をくじ券に透過させても、裏面に形成された第２の記録情報は、表面のみならず、裏面からも視認できなくなるが、暗室などで特定の波長の紫外光をあてたときだけ、第２の記録情報を視認することができるようになる。
【００２４】
この蛍光インキの蛍光染料として、ジアミノスチルベンスルホン酸、ジスチルベン等のスチルベン系、ベンジジン、ベンジジンスルホン酸、ジアミノフルオレイン等のジアミノジフェニル系、イミダゾロン、トリアゾール等のイミダゾール系、チアゾール系、オキサゾール系、クマリン系、カルボスチリル系、ナフタールイミド系、ピラゾロン系、ジヒドロピリジン系などのものを用いればよい。
【００２５】
さらに、また、くじ券のゲーム性を高めたい場合、自然光をあてた場合と特定の波長の紫外光をあてた場合とでは違う色を呈するする蛍光インキを用いて第２の記録情報を基材１０の裏面に印字又は印刷し、さらに、第２の記録情報とは別に、自然光をあてたときに発色する第２の記録情報１２ａの色と同じ色を呈する擬似記録情報〈図示せず）を第２の記録情報１２ｂの近傍に印字又は印刷すればよい。
【００２６】
このようにすることにより、自然光の下ではくじ券を表面側又は裏側から視認すると、第２の記録情報１２ｂと擬似記録情報とが混在し、これらを区別して視認しずらいが、特定の波長の紫外光をあてると第２の記録情報１２ｂが擬似記録情報とは違う色を呈するようになるので、第２の記録情報を擬似記録情報と区別して視認できるようになり、ゲーム性をさらに向上させることができる。
【００２７】
なお、くじ券の基材１０として、プラスチックなどからなるフィルムを用いてもよい。この場合、プラスチックとして、ポリプロピレン（ＰＰ）、ポリエチレン（ＰＥ）又はポリエチレンテレフタレート（ＰＥＴ）などを使用すればよい。半透明の基材として、このようなフィルムを用いる場合、さらにゲーム性の向上を狙ってより不透明なものにするには、フィルムの表面又は裏面に予め、単色、例えば、白色やオレンジ色などの印刷層を形成しておけばよい。
【００２８】
このようにして、本発明の実施の形態のくじ券４０が構成されている。
本実施の形態のくじ券４０は、まず、第２の隠蔽層１６ａをコインなどでスクラッチして参照情報２０を視認し、次いで、第１の隠蔽層１６をコインなどでスクラッチすることにより、保護ニス層１４を介して第１の記録情報１２ａを視認することができる。また、基材１０の裏側に形成された第２の記録情報１２ｂは上記で説明したように表面側からも視認できるように工夫されている。
【００２９】
すなわち、隠蔽層１６を除去して第１の記録情報１２ａを露出させ、くじ券の表面側から、第１の記録情報１２ａと第２の記録情報１２ｂとを組み合わせて視認することにより、はじめて、図１（ａ）に示すように、記録情報１２がアルファベットの「Ｍ」からなることを確認することができる。
次に、本発明の実施の形態のくじ券４０を用いた遊戯方法を説明する。
【００３０】
図２は、本発明の第１の実施の形態のくじ券４０を用いて遊戯する前のくじ券を示す平面図である。
図２に示すように、本実施の形態のくじ券を用いて遊戯する前の時点では、第１の記録情報１２ａ及び参照情報２０がそれぞれ隠蔽層１６及び１６ａでくじ券の表面側から視認できないように隠蔽されているので、これらを基材１０の表面及び裏面からも視認するのは困難である。
【００３１】
一方、第２の記録情報１２ｂは、隠蔽されていないので第２の記録情報１２ｂが特定の波長の紫外光で発色する蛍光インクなどを用いないで通常のインキで印字又は印刷されている場合は、くじ券の裏面から容易に視認できるが、本実施の形態においては、第２の記録情報１２ｂは単独ではなんら意味をなさない情報である。
【００３２】
従って、このくじ券を用いて遊戯する前の時点では、くじ券の記録情報１２が文字、数字、図柄、マーク又は模様などのうち、どのようなものを使っているかさえも予測するのが困難である。
くじ券の記録情報１２が「Ｍ」であれば、このくじ券が当たり券である場合の遊戯方法について説明する。
【００３３】
まず、くじ券の第１の隠蔽層１６ａをコインなどでスクラッチすると、くじ券の参照情報２０である「Ｍ」を視認することができる。
その後、隠蔽層１６をコインなどでスクラッチし、第１の記録情報１２ａを露出させると、図１（ａ）の斜線部１２ａを視認することができる。しかしながら、この時点では、くじ券の記録情報１２が「Ｍ」であることを即座に確認することは困難である。
【００３４】
次いで、くじ券に、例えば太陽光などの強い光を透過させ、第２の記録情報１２ｂを表面側から視認し、第１の記録情報１２ａと第２の記録情報１２ｂとを合体させて視認してみる。すると、第１の記録情報１２ａが「Ｍ」の中央部の一部分を示し、第２の記録情報１２ｂが「Ｍ」のうち、第１の記録情報１２ａ以外の残りの部分を示しているので、くじ券の記録情報１２が「Ｍ」であることを確認することができ、このくじ券が当たりであることを特定することができる。
【００３５】
また、このくじ券がはずれである場合、第１の記録情報１２ａと第２の記録情報１２ｂとを合体させて視認しても、なんら意味をもたない文字やマークなどを、又は参照情報２０とは違う文字やマークなどを視認することができる。
このようにして、本実施の形態のくじ券４０を用いて遊戯することができる。
以上のように、本発明の実施の形態のくじ券４０は、第１のステップで第１の隠蔽層１６ａを除去して第１の記録情報１２ａのみを視認してもくじ券が当たりなのかはずれなのかを特定できない。次いで、第２のステップで第２の記録情報１２ｂをくじ券の表面側から視認し、第１の記録情報１２ａと第２の記録情報１２ｂとを合体させて視認することにより、はじめて、くじ券の記録情報１２を確認することができる。すなわち、くじ券が当たりなのかはずれなのかが２つのステップを経て特定されるので、くじ券のゲーム性を向上させることができる。これにより、くじの利用者がゲームを心から楽しむことができるようになる。
【００３６】
従って、くじ券の売上高を向上させることができ、また、商店街などで買い物の額に応じて貰えるタイプのくじ券においても、くじ券の人気が高まるので、商店街全体の売上高を向上させることができる。
（第２の実施の形態）
図３（ａ）は本発明の第２の実施の形態のくじ券を表面側から透視した透視平面図、図３（ｂ）はＩＩ−ＩＩに沿った記録情報の一部分を示す部分断面図である。
【００３７】
本実施の形態が第１の実施の形態と異なる点は、第１の記録情報及び第２の記録情報が、それぞれ単独でくじ券の最終的な記録情報がどのような種類の情報からなるのかを予測できる情報で構成されている点である。
本発明の第２の実施の形態のくじ券は、図３（ａ）及び（ｂ）に示すように、くじ券の上側の位置に２つの参照情報２０Ｉ，２０ＩＩを備え、ぞれぞれ隠蔽層１６ｂ，１６ｃで隠蔽されている。本実施の形態では、参照情報が「漢字」からなる場合を例にして説明している。隠蔽層１６ｂ及び１６ｃをコインなどでスクラッチすると参照情報２０Ｉ，２０ＩＩが露出し、「緑」及び「銀」を視認することができる。すなわち、このくじ券の記録情報の中に「緑」と「銀」とが両方あれば、このくじ券が当たりであることを示している。
【００３８】
また、参照情報２０Ｉ，２０ＩＩが配置されている下側の位置には６つの記録情報（１２Ｉ〜１２ＶＩ）が備えられている。この６つの記録情報は、それぞれ左右組み合わせて構成される漢字のうち左の部分を示す「偏」の部分（１２ｃ，１２ｅ，１２ｇ，１２ｉ，１２ｋ，１２ｍ）が第１の実施の形態と同様に、基材１０ａの表面に印字又は印刷され、これらがそれぞれ隠蔽層（１６ｄ〜１６ｉ）で隠蔽されているので、くじ券４０ａの表面側から視認できないようになっている。
【００３９】
一方、左右組み合わせて構成される漢字のうち右の部分を示す「旁」の部分（１２ｄ，１２ｆ，１２ｈ，１２ｊ，１２ｌ，１２ｎ）が、第１の実施の形態と同様に、基材１０ａの裏面に印字又は印刷され、基材１０ａの裏面側からばかりではなく、基材１０ａの表面側からも視認できるように工夫されている。
例えば、記録情報１２Ｖである「銅」では、「偏」の部分が「金」であって、これがくじ券４０ａの表面に形成され、旁の部分が「同」あって、これが「同」の近傍で、かつこれに重ならないようにくじ券の裏面に形成され、これらを組み合わせると「銅」という漢字が構成されるようになっている。そして、「銅」という漢字のうち、くじ券の表面に形成された「偏」の部分、すなわち「金」の部分が隠蔽層１６ｅで隠蔽されている。
【００４０】
このようにして、第２の実施の形態のくじ券４０ａが構成されている。
次に、第２の実施の形態のくじ券４０ａを用いた遊戯方法を説明する。
本実施の形態のくじ券は、第２の記録情報である漢字の［旁」の部分は、くじ券の裏側に形成され、隠蔽されていない。
すなわち、第２の記録情報が特定の波長の紫外光で発色する蛍光インクなどを用いないで、通常のインキで印字又は印刷されている場合は、くじ券を入手した時点で、くじ券の記録情報が文字、数字、図柄、マーク又は模様などのどのような種類のものであるのかを予め予測することができるくじ券となる。
【００４１】
一方、第２の記録情報が特定の波長の紫外光で発光する蛍光インクなどを用いて形成されている場合は、くじ券を入手した時点で、くじ券の最終的な記録情報がどのような種類のものからなるのかを予測すらできないくじ券となる。
まず、隠蔽層１６ｂ及び１６ｃをコインなどでスクラッチして、参照情報２０Ｉ，２０ＩＩを露出させてこれらを視認する。このとき、「緑」と「銀」とを視認することができるので、このくじ券が備えている６つの記録情報（１２Ｉ〜１２ＩＶ）の中に、「緑」と「銀」とが両方存在する場合、このくじ券は当たりであることを意味することが理解される。
【００４２】
その後、６つの記録情報（１２Ｉから１２ＶＩ）のうち、隠蔽された漢字の偏の部分（１２ｃ，１２ｅ，１２ｇ，１２ｉ，１２ｋ，１２ｍ）の隠蔽層（１６ｄ〜１６ｉ）を順次コインなどでスクラッチし、漢字の偏の部分を確認する。この時点では、漢字の「偏」の部分しか視認することができないので、くじ券があたりなのかはずれなのかを特定することができない。
【００４３】
次いで、くじ券の表面から、例えば太陽光などの強い光を透過させてくじ券の裏側に形成された漢字の「旁」部分をくじ券の表面側から視認し、すでに露出している漢字の「偏」部分と「旁」部分とを組み合わせて視認して参照情報１２Ｉ，１２ＩＩである「緑」と「銀」になるものがないかを確認する。この時点で、はじめて１２ＩＩＩが「緑」を構成し、１２ＩＶが「銀」を構成していることを視認することができるので、このくじ券４０ａが当たりであることがわかる。
【００４４】
このようにして、第２の実施の形態のくじ券を用いて遊戯することができる。
本実施の形態のくじ券４０ａは、まず、第１のステップで隠蔽されている漢字の「偏」の部分を視認するが、この時点では、このくじ券があたり券であるかどうかを特定することができない。次のステップでくじ券に光を透過させて、くじ券の表面側から裏面に形成された漢字の「旁」部分を視認し、漢字の「偏」と「旁」との部分を組み合わせて視認して、はじめて、くじ券の記録情報を確認することができる。
【００４５】
次に、第２の実施の形態のくじ券の変形例を示す。
図４（ａ）は本実施の形態のくじ券の変形例を表面側から透視した透視平面図、図４（ｂ）は図４（ａ）のＩＩＩ−ＩＩＩに沿った部分断面図である。
図４（ａ）及び（ｂ）に示すように、基材１０ｂの表面の上側には参照情報２０ＩＩＩが印字又は印刷され、このくじ券は正解の式があればあたりということを意味している。本実施の形態のくじ券４０ａと同様に、第１の記録情報である数字（２２ａ〜２２ｈ）が基材１０ｂの表面に印字又は印刷され、これらは隠蔽層（１６ｊ〜１６ｇ）で隠蔽され、裏面には第２の記録情報である式を構成する記号（２２ｉ〜２２ｌ）が印字又は印刷されている。
【００４６】
まず、隠蔽層（１６ｊ〜１６ｇ）を順次スクラッチして第１の記録情報である数字（２２ａ〜２２ｈ）を露出させてこれらを視認する。次いで、光をくじ券に透過させることにより、裏面に印字又は印刷された符号を視認し、それぞれの式が正解なのかどうかを確認する。その結果、向かって右上の式と左下の式が正解であるので、このくじ券は当たりであることを特定することができる。
【００４７】
以上のように、第２の実施の形態のくじ券４０ａ，４０ｂは、第１の実施の形態のくじ券４０と同様に、くじ券が当たりなのかはずれなのかを２つのステップを経て特定するので、くじ券のゲーム性を向上させることができる。
（第３の実施の形態）
図５（ａ）は本発明の第３の実施の形態のくじ券を表面側から透視した透視平面図、図５（ｂ）は図５（ａ）のＩＶ−ＩＶに沿ったくじ券の一部分の断面を示す部分断面図である。
【００４８】
本実施の形態のくじ券４０ｃが、第１及び第２の実施の形態のくじ券４０，４０ａと異なる点は、ルーレットタイプのゲームに適用し、第１の記録情報はこれ単独でもある情報を特定する意味のある第１の情報を示し、さらに第１の記録情報と第２の記録情報とを組み合わせたものも意味のある第２の情報を示すことである。さらに、第２の記録情報のみでも意味のある第３の情報を示すようにしてもよい。すなわち、１枚のくじ券に意味をもつ２つ以上の記録情報が備えられていることを特徴としている。
【００４９】
本発明の第３の実施の形態のくじ券４０ｃは、図５（ａ）及び（ｂ）に示すように、ルーレットゲームを遊戯するくじ券である。くじ券の基材１０ｃの表面の上側の領域にくじの当たりはずれを特定するための２つの参照情報２０ＩＶ，２０Ｖが印字又は印刷されている。２つの参照情報２０ＩＶ，２０Ｖのうち、向かって左側の参照情報２０ＩＶはくじ券の表面に形成された第１の記録情報に関連する情報であり、向かって右側の参照情報２０Ｖは第１の記録情報とくじ券４０ｃの裏側に形成された第２の記録情報とを組み合わせた情報に関連する情報である。この参照情情報２０ＩＶ，２０Ｖは第１及び第２の実施の形態と同様に、それぞれ隠蔽層１６ｒ及び１６ｓで隠蔽されている。
【００５０】
くじ券の表面の参照情報２０ＩＶ，２０Ｖの下側には、ドーナッツ状の領域が１２個に区画された部分にそれぞれ１から１２の数字が印字又は印刷されて第１の記録情報（３２ａ〜３２ｌ）を構成している。そして、図５（ｂ）に示すように、くじ券の第１の記録情報の一部の情報である数字「７」（３２ａ）が形成されている区画の裏面には、「７」に重ならないように、第２の記録情報の一部の情報である数字「１」（３２ｍ）が印字又は印刷されている。また、これと同様に、くじ券の第１の記録情報の一部の情報である数字「５」（３２ｃ）が形成された区画の裏面には第２の記録情報の一部の情報である数字「１」（３２ｎ）が印字又は印刷されている。基材１０ｃの裏面に形成されたこの２つの数字「１」（３２ｍ、３２ｎ）が第２の記録情報を構成している。
【００５１】
また、くじ券の記録情報が形成されたドーナッツ状の領域は、参照情報２０ＩＶ，２０Ｖと同様に、くじ券４０ｃの表面側から視認できないように保護ニス層１４を介して隠蔽層１６ｔで隠蔽されている。
当たり数字の区画を示す▼マーク２３が基材１０ｃの表面に印字又は印刷された数字「７」（３２ａ）と裏面に印字又は印刷された数字「１」（３２ｍ）が存在する区画を指しているので、この区画に存在する数字情報が当たり情報を示していることを理解することができる。
【００５２】
本発明の実施の形態のくじ券４０ｃは、隠蔽層１６ｔをコインなどでスクラッチすると数字からなる第１の記録情報（３２ａ〜３２ｌ）を視認することができる。くじ券の第１の記録情報（３２ａ〜３２ｌ）が形成された区画の裏面に形成された第２の記録情報（３２ｍ，３２ｎ）は、第１及び第２の実施の形態と同様に、くじ券の表面側からも視認できるように工夫されている。
【００５３】
第２の記録情報が特定の波長の紫外光で発色する蛍光インキなどを用いて形成されていない場合、すなわち通常のインキを用いて形成された場合、太陽光などの強い光をくじ券に透過させることにより、くじ券の表面側から第２の記録情報である２つの数字「１」（３２ｍ，３２ｎ）を視認することができる。また、第２の記録情報が蛍光インキを用いて形成されている場合、例えば、暗室で特別な波長を有する紫外光をくじ券に透過させることにより、蛍光インキを用いて形成された数字「１」（３２ｍ，３２ｎ）が発色し、これをくじ券の表面側から基材１０ｃを介して視認することができる。
【００５４】
以上のように、まず、隠蔽層１６ｔをコインなどでスクラッチしてくじ券の表面に形成された第１の記録情報である１〜１２の数字（３２ａ〜３２ｌ）を確認できる。さらに、基材１０ｃの表面に形成された数字「７」（３２ａ）と、その裏面に形成された数字「１」３２ｍとを組み合わせて視認することにより、新しい数字「１７」を視認することができる。
【００５５】
すなわち、本実施の形態のくじ券４０ｃは、１枚の中に「７」と「１７」との二つの当たり情報を備えていることになる。また、「５」３２ｃと「１」（３２ｎ）との関係もこれと同様であり、この区画に▼印が指している場合、「５」又は「１５」からなる２つの当たり情報をもっていることになる。
なお、くじ券４０ｃの当たりの数字として、基材１０ｃの表面に形成された数字（３２ａ〜３２ｌ）を無視して裏面に形成された数字（３２ｍ，３２ｎ）のみを当たり数字とすることをさらに上記の方式に加えてもよい。この場合、「裏」のみに対応する参照情報を追加で作成しておけばよい。これにより、１枚のくじ券で３回分ゲームを楽しむことができる。
【００５６】
次に、第３の実施の形態のくじ券４０ｃを用いた遊戯方法を説明する。
まず、利用者がくじ券の表面に形成された数字のみを使って、又はくじ券の表面に形成された数字とくじ券の裏側に形成された数字とを組み合わせた数字を使って遊戯するかを決める。くじ券の表面の数字のみを使って遊戯する場合、まず、２つの参照情報２０ＩＶ，２０Ｖのうち、「表」と記載されている参照情報２０ＩＶの隠蔽層を１６ｒをコインなどでスクラッチし、参照情報２０ＩＶを露出させる。このとき、１等から６等までの当たり階級の欄にそれぞれ数字が記載されており、例えば、１等の階級の欄には「５」が記載されているので、ルーレットで「５」がでればこのくじ券は１等に当たったということを意味する。そして、「表」を選択したので、第１の記録情報、すなわち、くじ券の表面に記載された数字のみがゲームの対象となる。
【００５７】
当たりの区画を示す▼印２３は、くじ券の表面に形成された数字「７」の区画を示しているので、このくじ券の当たり情報は「７」であることが理解できる。そして、「表」の参照情報２０ＩＶを参照すると５等の欄に「７」を確認することができるので、このくじ券は５等に当たっていることになる。
一方、「表＋裏」の参照情報２０ｆを選択した場合、基材１０ｃの表面に形成された数字（３２ａ〜３２ｌ）とその裏面に形成された数字（３２ｍ，３２ｎ）とを組み合わせたものがゲームの対象になる。
【００５８】
すなわち、図５（ａ）においては、基材１０ｃの表面に形成された数字「７」（３２ｍ）とこれと同じ区画内の裏面に形成された数字「１」（２２ｍ）とを組み合わせることにより新しい数字「１７」を視認することができる。これと同様に、基材１０ｃの表面に形成された数字「５」（３２ｃ）とこれと同じ区画内の裏面に形成された数字「１」（３２ｎ）とを組み合わせることにより新しい数字「１５」を視認することができる。
【００５９】
当たりの区画を特定する▼印２３は新しい数字「１７」の区画を指しているので、このくじ券の当たりの数字が「１７」であることを理解できる。そして、「表＋裏」の参照情報２０Ｖを参照すると１等の欄に１７を確認することができるので、このくじ券は１等に当たっていることになる。
本実施の形態のくじ券を用いた遊戯方法は、「表」の参照情報２０ＩＶと「表＋裏」の参照情報２０Ｖとのうち、どちらか一方を選択する方式でもよいし、また、これらを両方とも選択して、１枚のくじ券で２回ゲームを行えるような方式にしてもよい。さらに、上記したように、基材１０ｃの裏面の数字だけを使用する方式をさらに加えて３回ゲームを行えるようにしてもよい。
【００６０】
「表」の参照情報２０ＩＶと「表＋裏」の参照情報２０Ｖとのうち、どちらか一方のみを選択する方式にする場合、利用者が「表」の参照情報２０ＩＶ及び「表＋裏」の参照情報２０Ｖの隠蔽層を誤って両方スクラッチしないように、どちらか一方のみに隠蔽層を形成し、これをスクラッチした場合は、隠蔽層が形成されているほうを選択したことになるようにしてくじ券を構成すればよい。
【００６１】
このように、本実施の形態のくじ券は、ルーレットの１つの▼印が示す区画に２つ以上の数字の情報を備えることができるので、実質、１枚のくじ券で２回分以上のゲームを楽しむことができる。また、くじ券の表面の数字と裏面の数字とを組み合わせて当たり数字を特定するため２つのステップを経るので、ゲーム性を向上させることができ、利用者の楽しみを二重に膨らませることができる。
【００６２】
（第４の実施の形態）
図６（ａ）〜（ｃ）は、本発明の第４の実施の形態のくじ券の一部を透視した部分透視平面図、図６（ａ）の右側の図は、図６（ａ）の左側の図のＶ−Ｖに沿った断面図である。
本実施の形態のくじ券が他の実施の形態と異なる点は、第１の記録情報と第２の記録情報とをそれぞれ意味のある情報とし、第１の記録情報と第２の記録情報との関係を予め決めておき、その取り決めに基づいてくじ券の情報とすることである。
【００６３】
図６（ａ）に示すように、第４の実施の形態のくじ券は、基材１０ｄの表面に金額情報からなる第１の記録情報４２ａが印字され、保護ニス層１４を介して隠蔽層１６ｕが形成され、他の実施の形態と同様に、くじ券の表面及び裏面から第１の記録情報４２ａを視認できないようになっている。一方、基材１０ｄの裏面には、星印からなる第２の記録情報４２ｂが印刷され、本実施の形態のくじ券４０ｄが構成されている。
【００６４】
図６（ｂ）は図６（ａ）の星印からなる第２の記録情報４２ｂをハートマークからなる第２の記録情報４２ｄに変えたものであり、図６（ｃ）は図６（ｂ）の金額情報「￥１０，０００」からなる第１の記録情報４２ｃを金額情報「￥０」からなる第１の記録情報４２ｅに変えたものである。
これらのくじ券の第２の記録情報４２ｂ，４２ｄ，４２ｆが、例えば第１の実施の形態で説明した蛍光インキを用いて形成されている場合、これらのくじ券を入手した時点では、くじ券の記録情報がどのようなものからなるのかすら予測がつかないくじ券となる。そして、隠蔽層１６ｕ，１６ｘ，１６ｙをコインなどでスクラッチすると、保護ニス層１４を介して金額情報からなる第１の記録情報４２ａ，４２ｃ，４２ｅを視認することができ、次いで、特定の波長の紫外光をくじ券に当てることにより、星印やハートマークなどからなる第２の記録情報４２ｂ，４２ｄ，４２ｆを視認することができる。
【００６５】
次に、本発明の実施の形態のくじ券の遊戯方法を説明する。
ここで、例えば、第２の記録情報が星印であれば第１の記録情報である金額情報と同一の金額が当たっており、第２の記録情報がハートマークであれば、第１の記録情報である金額情報の１０倍の金額が当たったという取り決めにする。また、本実施の形態のくじ券４０ｄ，４０ｅ，４０ｆの第２の記録情報４２ｂ，４２ｄ，４２ｆが第１の実施の形態で説明した特定の波長の紫外光で発光する蛍光インキを用いて形成されている場合を例とする。
【００６６】
最初に、図６（ａ）に示すくじ券４０ｄについて説明する。
まず、くじ券４０ｄの隠蔽層１６ｕをコインなどでスクラッチして保護ニス層１４を介して第１の記録情報４２ａを視認すると「￥１０，０００」という金額情報を特定することができる。
その後、くじ券に紫外光をあてて、くじ券の表面又は裏面から第２の記録情報を視認すると、これが星印からなることを特定することができる。
【００６７】
すなわち、星印は第１の記録情報４２ｂの金額情報と同一の金額が当たったという取り決めになっているので、このくじ券４０ｄは例えば３等に設定された「￥１０，０００」に当たっていることになる。
次に、図６（ｂ）に示すくじ券４０ｅの場合を説明する。
まず、くじ券４０ｅの隠蔽層１６ｘをコインなどでスクラッチして第１の記録情報４２ｃを視認すると「￥１０，０００」という金額情報を特定することができる。
【００６８】
その後、くじ券４０ｅに紫外光をあてて、くじ券の表面又は裏面から第２の記録情報４２ｄを視認すると、これがハートマークからなることを特定することができる。
すなわち、ハートマークは第１の記録情報である金額情報の１０倍の金額が当たったという取り決めになっているので、このくじ券４０ｅは例えば１等に設定された「￥１００，０００」に当たっていることになる。
【００６９】
次に、図６（ｃ）に示すくじ券４０ｆの場合について説明する。
まず、くじ券４０ｆの隠蔽層１６ｙをコインなどでスクラッチして第１の記録情報４２ｅを視認すると「￥０」という金額情報を特定することができる。
その後、くじ券４０ｆに紫外光をあてて、くじ券の表面又は裏面から第２の記録情報４２ｆを視認すると、これがハートマークからなることを特定することができる。
【００７０】
すなわち、ハートマークは第１の記録情報の金額情報の１０倍の金額が当たったという取り決めになっているが、第１の記録情報４２ｅが「￥０」であるので、このくじ券４０ｆははずれ券であることが分かる。
このように、第４の実施の形態のくじ券においても、くじ券が当たりなのかはずれなのかを２つのステップを経て特定するので、くじ券のゲーム性を向上させることができる。
【００７１】
以上、第１、第２、第３及び第４の実施の形態により、この発明の詳細を説明したが、この発明の範囲は上記実施の形態に具体的に示した例に限られるものではなく、この発明を逸脱しない要旨の範囲の上記実施の形態の変更はこの発明の範囲に含まれる。
例えば、くじ券の情報として、第１の実施の形態ではアルファベットを、第２の実施の形態では漢字及び数式を、第３の形態では数字を、第４の形態では、数字、図柄を例示したが、その他の、文字、模様、コメント文、記号、各種の絵などの基材上に印字や印刷できるものであれば何でもよいことはいうまでもない。
【００７２】
また、第１、第２、第３及び第４の実施の形態では、隠蔽層が第１の記録情報の全体を被覆隠蔽している例を示したが、第１の記録情報の一部を隠蔽するようにしてもよい。
また、第３の実施の形態では、１枚のくじ券で実質３つの情報を特定できる例を示したが、数字の桁数を増やすなどしてさらに複数の情報を備えた形態にしてもよい。
【００７３】
【発明の効果】
以上説明したように、本発明によれば、半透明の基材の一方の面に第１の記録情報が形成され、基材の他方の面には一方の面から視認できるような構成で第２の記録情報が形成され、該第１の記録情報は視認できないように隠蔽層で隠蔽されている。
【００７４】
本発明のくじ券の情報を視認する場合、まず、隠蔽層を除去して第１の記録情報を視認し、次いで、一方の面側から基材を介して裏面の第２の記録情報を視認し、さらに第１の記録情報と第２の記録情報とを組み合わせて生成される第３の記録情報を視認することにより、はじめてくじ券の情報を確認することができる。
【００７５】
すなわち、利用者はくじ券の情報を確認するために、２つのステップを経ることになる。従って、ゲーム性が向上し、利用者はゲームを十分楽しむことができるので、特に、販売されるくじ券では、利用者の購買意欲が向上して売上高を増大させることができる。
【図面の簡単な説明】
【図１】（ａ）は本発明の第１の実施の形態のくじ券を表面側から透視した透視平面図、（ｂ）は（ａ）のＩ−Ｉに沿った、第１の実施の形態のくじ券の一部の断面を示す部分断面図である。
【図２】本発明の第１の実施の形態のくじ券のゲームを開始する前の状態を示す平面図である。 
【図３】（ａ）は本発明の第２の実施の形態のくじ券を表面側から透視した透視平面図、（ｂ）は（ａ）のＩＩ−ＩＩに沿った、第２の実施の形態のくじ券の一部の断面を示す部分断面図である。
【図４】（ａ）は本発明の第３の実施の形態のくじ券を表面側から透視した透視平面図、（ｂ）はＩＩＩ−ＩＩＩに沿った、第３のの実施の形態のくじ券の一部の断面を示す部分断面図である。
【図５】（ａ）は本発明の第３の実施の形態のくじ券を表面側から透視した透視平面図、（ｂ）はＩＶ−ＩＶに沿った、第３の実施の形態のくじ券の一部の断面を示す部分断面図である。
【図６】  （ａ）〜（ｃ）は本発明の第４の実施の形態のくじ券の一部を透視した部分透視平面図、（ａ）の右側の図は図６（ａ）の左側の図のＶ−Ｖに沿った部分断面図である。
【符号の説明】
１０，１０ａ，１０ｂ，１０ｃ，１０ｄ：基材
１２：くじ券の記録情報（第３の記録情報）
１２ａ：第１の記録情報（第１の実施の形態）
１２ｃ，１２ｅ，１２ｇ，１２ｉ，１２ｋ，１２ｍ，２２ａ〜２２ｈ：第１の記録情報〈第２の実施の形態）
３２ａ〜３２ｍ：第１の記録情報（第３の実施の形態）
４２ａ，４２ｃ，４２ｅ：第１の記録情報（第４の実施の形態）
１２ｂ：第２の記録情報（第１の実施の形態）
１２ｄ，１２ｆ，１２ｈ，１２ｊ，１２ｌ，１２ｎ，２２ｉ〜２２ｌ：第２の記録情報（第２の実施の形態）
３２ｍ，３２ｎ：第２の記録情報（第３の実施の形態）
４２ｂ，４２ｄ，４２ｆ：第２の記録情報（第４の実施の形態）
１４：保護ニス層
１６，１６ａ〜１６ｙ：隠蔽層
２０，２０Ｉ〜２０Ｖ：参照情報
２３：▼印
４０，４０ａ，４０ｂ，４０ｃ，４０ｄ，４０ｅ，４０ｆ：くじ券
【図１】
0004643834.tif 000002
【図２】
0004643834.tif 000003
【図３】
0004643834.tif 000004
【図４】
0004643834.tif 000005
【図５】
0004643834.tif 000006
【図６】
0004643834.tif 000007